(57)【要約】【課題】高価なセラミックス玉を専用の金属管などのに入れることが無く、外部から簡単に見たり触れたりする事ができ、専門的な技術や知識の無いごく一般の方たちが簡単に劣化した玉などの判断ができます。そして、メンテナンスなどが必要な個所だけを簡単に交換ができるので、経済的な面から見ても極めて大きな効果を期待する事が可能。更に取替したセラミックス玉の補修が可能な為、限られた資源の再利用も大きく期待ができます。【解決手段】高価なセラミックス玉を専門的な技術や知識の無いごく一般の方たちが簡単に劣化した玉などの判断ができます。メンテナンスなども必要な個所だけを簡単に交換ができ、経済的な面から見ても大きな効果が期待でき、自然に対して無公害、そしてクリーンな環境保全を作り出す事ができます。【選択図】    図１
2005319436.tif 000002
【特許請求の範囲】
【請求項１】
図１の１又は、図１の７の空気などを入れた浮き具（ゴム製）により、図１の４のセラミックス玉の収納ケース（ポリカーボネート製）が常に水面に漂った状態を維持します。図１の９の特殊加工セラミックス玉（再利用が可能で半永久に使用が可能な玉）を入れ、図１の２の水面の水受けびれ（ポリカーボネート製）、又は、図１の３の水中の水受けびれ（ポリカーボネート製）に加わる水の波などの力を増幅する事で、セラミックス玉の収納ケースが揺れ動き安くする事で、特殊加工セラミックス玉がそれに応じて揺れ動き、ぶつかり合う時に発生する遠赤外線の発生効果を高めます。図１の５の振動吸収アブソーバーは、必要以上に揺れ動く作用を抑制する為に付けてあります。又、この波の他に、例えばダムの放水時などに生ずる超音波の振動波などが、この水中又は、水面の水受けびれに伝えられた波動などの振動エネルギーを活用する事で、セラミックス玉がより一層の遠赤外線の発生効果を高める事も可能な発明です。
【請求項２】
図１の２の水面の水受けびれ、又は、図１の３の水中の水受けびれに加わる波などの力の大きさに合わせて、ひれの角度を色々と変えることができ、セラミックス玉の収納ケースに必要以上に余分な力が加わる事を抑制する事が可能な発明です。
図１の２の水面の水受けびれ、又は、図１の３の水中の水受けびれはそれぞれが個々に角度の調整などが可能で、個々の角度を自在に変える事で小さな波が加わった場合にも、各ひれに加わる力を相互間で補なう言わば微小波動の増幅装置的な事が可能な発明です。
【請求項３】
図１の４のセラミックス玉の収納ケースへ図１の９の特殊加工セラミックス玉が全部で３段入れて有りますが、１段しか入れて無い場合でもこの装置は、セラミックス玉がぶつかり合う時に発生する遠赤外線の発生効果は従来の技術と比較して、充分な効果を出す事が可能な発明です。  又、他からの一切の動力源を必要としない為に省エネルギーとエコロジーが叫ばれる昨今だけに、この発明の経済効果は多大な期待ができる発明です。
【発明の詳細な説明】
【発明に属する技術分野】
【０００１】従来では、セラミックスの玉を金属管などへ収めて置いたパイプなどへ外部から水を流して、その水が及ぼす水圧や振動波などを利用した水質改善を図ってきましたが、この発明は特別な金属管などの制約も一切が無く常に自由自在のサイズで作り上げる事が可能です。しかも、振動波は水と風がもたらす波を利用する事で、自然のクリーンなエネルギーを最大限に活用した発明です。
【背景技術】
【０００２】従来では、金属（ステンレス）製の活水器と言う名の管などへセラミックス玉を入れて、大きさや形状などにも幾つかの制約が有りました。管の中のセラミックス玉は交換時期などは感に頼るしか方法がありませんでした。当然の事ですが、専門業者以外のユーザーの方がメンテナンスなどを行うのは、殆ど無理とされて参りました。
【発明が解決しようとする課題】
【０００３】この発明は、セラミックスの玉を直接に見たり触れたりする事が可能で、特別に専門的な技術を必要とせず、ごく一般の方がセラミックスの玉の状態を簡単に知ることができます。
高価なセラミックス玉ですから、玉の全体を一挙に交換するのでは無く、ほんの一部を部分的な交換ができ経済面から見て大変に効果的です。省エネルギーとエコロジーの時代にふさわしい発明です。
【課題を解決しようとする手段】
【０００４】高価なセラミックス玉を専用の金属管などの中へ入れて無い為に、外から簡単に見たり触れたりする事ができ、専門的な技術や知識の無いごく一般の方たちが簡単に劣化した玉などの判断ができます。そして、メンテナンスなどが必要な個所だけを簡単に交換ができるので、経済的な面から見ても極めて効果が大きく期待する事ができます。更にはこの時に取替えられたセラミックス玉を、補修が可能な為に限られた資源の再利用も大きく期待ができます。
【発明実施の形態】
【０００５】図１の４の−セラミックス玉の収納ケースと水の波などを活用した省エネルギーとエコロジーの時代にふさわしい発明で、二次的な公害や自然環境の悪化など全てを排除した発明です。一般的に、セラミックス玉は、使用時間に限りがある事が多いです。この装置のシステムは、セラミックス玉を限りなく再利用が可能な特殊加工技術から作り出された玉を用いています。
サイズ、重量、材質などの観点からも、水質浄化と水質改善などに優れた効果が期待されます。
地球環境レベルでの水質保全、水質改善が期待できます。
【発明の効果】
【０００６】図１の４の−セラミックス玉の収納ケースの材質は金属、プラスティックその他様々な材質で作る事が可能です。図１の９の特殊加工セラミックス玉は、メンテナンスを施す事で再利用が可能です。限られた資源の有効活用を基本的な考え方でこの発明は考案してあります。この装置のシステムは色々な観点から見て、無理無駄むらを排除した水質改善システムです。この装置がもたらす水質改善の効果に付きましては、他のシステムと比較して充分な効果が期待できます。
【図面の簡単な説明】
【図１】  ダムや池．湖．養魚場．海．川．プールなどの水質改善効果を高める為の装置を側面から望んだ図。
【図２】  ダムや池．湖．養魚場．海．川．プールなどの水質改善効果を高める為の装置を上面から望んだ図。
【図１】  空気などを入れた浮き具（この絵ではゴムボールで表記  形状や材質は問わず）ダムや池．湖．養魚場．海．川．プールなどの水質改善効果を高める為の装置を側面から望んだ図。
【符号の説明】
１−空気などを入れた浮き具（この絵ではゴムボールで表記）
２−水面の水受けびれ
３−水中の水受けびれ
４−セラミックス玉の収納ケース
５−振動吸収アブソーバー
６−振動吸収アブソーバー
７−空気などを入れた浮き具（この絵ではゴムボールで表記）
８−水面
９−特殊加工セラミックス玉
【図２】
空気などを入れた浮き具（この絵ではゴムボールで表記）ダムや池．湖．海．川などの水質改善の効果を高める為の装置を上面から望んだ図
１０−空気などを入れた浮き具（この絵ではゴムボールで表記）
１１−空気などを入れた浮き具（この絵ではゴムボールで表記）
１２−特殊加工セラミックス玉
１３−セラミックス玉の収納ケース
１４−振動吸収アブソーバー
１５−振動吸収アブソーバー
１６−水面の水受けびれ
【図１】
2005319436.tif 000003
【図２】
2005319436.tif 000004
【手続補正書】
【提出日】平成16年7月12日(2004.7.12)
【手続補正１】
【補正対象書類名】明細書
【補正対象項目名】全文
【補正方法】変更
【補正の内容】
【書類名】明細書
【発明の名称】
セラミックス玉と振動装置による水質改善
【０００１】
【発明に属する技術分野】
従来では、セラミックスの玉を金属管などへ収めて置いたパイプなどへ外部から水を流して、その水が及ぼす水圧や振動波などを利用した水質改善を図ってきましたが、この発明は特別な金属管などの制約も一切が無く常に自由自在のサイズで作り上げる事が可能です。しかも、振動波は水と風がもたらす波などの力を利用する事で、自然界のクリーンなエネルギーを最大限に活用したものです。
【０００２】
【従来の技術】
従来は、金属製（主にはステンレスを利用）の活水器と呼ばれる管などへセラミックス玉を入れ、大きさや形状などに幾つかの制約が有りました。管の中のセラミックス玉は交換時期などは専門的技術者の経験と感に頼るしか方法がありませんでした。当然のことですが、専門業者以外のごく一般の方たちがメンテナンスなどを行うのは、殆ど困難とされていました。
【０００３】
【発明が解決しようとする課題】
この発明は、セラミックスの玉を直接に見たり触れたりする事が可能で、特別に専門的な技術を必要とせず、ごく一般の方がセラミックスの玉の状態を簡単に知ることができます。高価なセラミックス玉ですから、玉の全体を一挙に交換するのでは無く、ほんの一部を部分的に交換ができ経済面からみて大変に効果的です。  省エネルギーとエコロジーの時代にふさわしい発明です。
【０００４】
【課題を解決しようとする手段】
高価なセラミックス玉を専用の金属管などの中へ入れることが無く、外部から簡単に見たり触れたりする事ができ、専門的な技術や知識の無いごく一般の方たちが簡単に劣化した玉などの判断ができます。そして、メンテナンスなどが必要な個所だけを簡単に交換ができる事で、経済的な面から見ても極めて大きな効果を期待する事が可能です。更に交換で取替えられたセラミックス玉を、補修する事が可能で限られた資源の再利用の活用に大きな期待ができます。
【０００５】
【発明実施の形態】
二次的な公害や自然環境の悪化など全てを排除した発明で一般的に、セラミックス玉には、使用期間に限りがある事が多いです。このシステムは、セラミックス玉を限りなく再利用が可能な特殊加工技術から作り出された玉を用いています。
サイズ、重量、材質などの観点からも、水質浄化と水質改善などに優れた効果が期待されます。
地球環境レベルでの水質保全、水質改善に大きな期待できます。
【０００６】
【発明の効果】
図１の４のセラミックス玉の収納ケースの材質は金属、プラスティックその他様々な材質で作る事が可能。このセラミックス玉は、メンテナンスを施す事で再利用が可能。限られた資源の有効活用を基本的な考えから成り色々な観点から見て、無理無駄むらを最大限に排除した水質向上、水質改善です。このシステムがもたらす水質改善の効果に付きましては、他のシステムと比較して充分な効果が期待できます。
【図面の簡単な説明】
【０００７】
【図１】  本発明の側面図。ダムや池．湖．養魚場．海．川．プールなどの水質改善効果を高める為の装置の図。
【図２】  本発明の上面図。空気などを入れた浮き具（この絵はゴムボールで表記  形状や材質は問わず）ダムや池．湖．養魚場．海．川．プールなどの水質改善効果を高める為の装置の図。
【符号の説明】
【０００８】
１−空気などを入れた浮き具（この絵はゴムボールで表記）
２−水面の水受けびれ
３−水中の水受けびれ
４−セラミックス玉の収納ケース
５−振動吸収アブソーバー
６−振動吸収アブソーバー
７−空気などを入れた浮き具（この絵はゴムボールで表記）
８−水面
９−特殊加工セラミックス玉
１０−空気などを入れた浮き具（この絵はゴムボールで表記）
１１−空気などを入れた浮き具（この絵はゴムボールで表記）
１２−特殊加工セラミックス玉
１３−セラミックス玉の収納ケース
１４−振動吸収アブソーバー
１５−振動吸収アブソーバー
１６−水面の水受けびれ
【手続補正２】
【補正対象書類名】特許請求の範囲
【補正対象項目名】全文
【補正方法】変更
【補正の内容】
【書類名】特許請求範囲
【請求項１】
図１の１又は、図１の７の空気などを入れた浮き具（ゴム製）により、図１の４のセラミックス玉の収納ケース（ポリカーボネート製）が常に水面に漂った状態を維持します。図１の９の特殊加工セラミックス玉（再利用が可能で半永久に使用が可能な玉）を入れ、図１の２の複数組みから成る水面の水受けびれ（ポリカーボネート製）、又は、図１の３の複数組みから成る水中の水受けびれ（ポリカーボネート製）に加わる水の波などの力を増幅する事で、セラミックス玉の収納ケースが揺れ動き、ぶつかり合う時に発生する遠赤外線の発生効果を高めます。図１の５の振動吸収アブソーバーは、必要以上に揺れ動く作用を抑制する為に付けてあります。又、この波の他に、例えばダムの放水時などに生ずる超音波振動波などが、この水中又は、水面の水受けびれに及ぼす波動などの振動エネルギーを活用する事で、セラミックス玉をより一層の遠赤外線の発生効果を高める事も可能な発明です。
【請求項２】
図１の２の水面の水受けびれ、又は、図１の３の水中の水受けびれに加わる波などの力の大きさに合わせて、個々に水受けひれの角度や向きを色々と変えることができ、セラミックス玉の収納ケースに必要以上に余分な力が加わる事の抑制が可能で、更に個々の角度を自在に変える事で極小波動が加わった場合にも、各ひれに加わる力を相互間で補なう言わば微小波動の増幅装置的な事も可能です。
【請求項３】
図１の４のセラミックス玉の収納ケースへ図１の９の特殊加工セラミックス玉が全部で３段入れて有りますが、都合により１段しか入れて無い場合もこの装置は、セラミックス玉がぶつかり合う時に発生する遠赤外線の発生効果は従来の技術と比較して、充分な効果を出す事が可能な発明です。  又、他からの一切の電気などその他の動力源を必要としない為に省エネルギーとエコロジーが叫ばれる昨今だけに、この発明の経済効果は多大な期待ができます。
【手続補正３】
【補正対象書類名】図面
【補正対象項目名】全図
【補正方法】変更
【補正の内容】
【書類名】図面
【図１】
2005319436.tif 000005
【図２】
2005319436.tif 000006